(57)【特許請求の範囲】
【請求項１】
被ロック部を備える接続対象物が挿入方向に沿って前方から挿入・接続されるコネクタであって、
ハウジングと、
前記ハウジングに取り付けられた取付部材であって、前記挿入方向と直交する上下方向において前記ハウジングの上側及び下側に夫々位置する取付上部及び取付下部と、前記取付上部と前記取付下部とを前方において連結する連結部とを有する取付部材と、
挿入・接続された前記接続対象物が前記挿入方向の反対方向である抜去方向に移動すると前記被ロック部の移動を止めるロック爪と、前記取付上部と前記取付下部との間に位置して、前記ロック爪を前記上下方向に変位可能に支持するバネ部とを有するロック部とを備えており、
前記連結部は、前記バネ部の前方に位置しており、
挿入・接続された前記接続対象物を無理に引き抜こうとすると、前記バネ部の一部が前記連結部と突き当たる
コネクタ。
【請求項２】
請求項１記載のコネクタであって、
前記ハウジングには、前記接続対象物の挿入をガイドするアームが設けられており、
前記アームは、前記抜去方向に沿って延びており、
前記バネ部は、前記アームと、前記取付下部との間に位置している
コネクタ。
【請求項３】
請求項１又は請求項２記載のコネクタであって、
前記バネ部には、前記連結部に向かって張り出した張り出し部が形成されている
コネクタ。
【請求項４】
請求項１乃至請求項３のいずれかに記載のコネクタであって、
前記ハウジングに保持されたシェルを、更に備えており、
前記取付部材は、前記シェルの一部であり、
前記取付上部は、前記ハウジングの上面を覆っている
コネクタ。
【請求項５】
請求項１乃至請求項４のいずれかに記載のコネクタであって、
前記取付部材と前記ロック部とは、一体に形成されている
コネクタ。
【請求項６】
請求項５記載のコネクタであって、
前記バネ部は前記取付上部から延びて形成されている
コネクタ。
【請求項７】
請求項４記載のコネクタであって、
前記ハウジングには、被圧入部が形成されており、
前記シェルは、圧入部を有しており、前記圧入部を前記被圧入部に圧入するようにして、前記ハウジングの前方から前記ハウジングに取り付けられている
コネクタ。
【請求項８】
請求項１乃至請求項７のいずれかに記載のコネクタであって、
シート状に形成された前記接続対象物が挿入される挿入口であって、前記挿入方向及び前記上下方向の双方に直交する幅方向に延びる挿入口と、
前記接続対象物の挿入をガイドするガイド部であって、前記挿入口の前方に位置し、前記幅方向に沿って延びるガイド部とを、更に備えている
コネクタ。
【請求項９】
請求項８記載のコネクタであって、
前記挿入口の下部に位置し、前記上下方向に変位可能となるように支持されたグランドバネ部を、更に備えており、
前記グランドバネ部の少なくとも一部は、前記ガイド部よりも上方に位置している
コネクタ。
【請求項１０】
請求項１乃至請求項９のいずれかに記載のコネクタであって、搭載対象物に搭載されるコネクタであり、
前記コネクタの前方において前記搭載対象物に接続されるグランド部を、更に備えている
コネクタ。
【請求項１１】
請求項１乃至請求項１０のいずれかに記載のコネクタであって、
前記ロック爪は、前記上下方向に沿って上方から視認できるように配置されている
コネクタ。
【発明の詳細な説明】
【技術分野】
【０００１】
本発明は、例えばＦＰＣ（Flexible Printed Circuits）のような接続対象物と接続可能であり、接続対象物との接続状態をロックするための構造を備えたコネクタに関する。
【背景技術】
【０００２】
このタイプのコネクタは、例えば特許文献１に開示されている。図１９（ａ）及び図１９（ｂ）に示されるように、特許文献１に開示されたコネクタは、係止孔が形成されたＦＰＣ（接続対象物）と接続することができる。ＦＰＣは、差し込み方向（挿入方向）に沿って前方からコネクタに挿入・接続される。コネクタは、係止突起（ロック部）が設けられたシェルを備えている。ＦＰＣとコネクタとが互いに接続された接続状態において、係止突起は、係止孔の内部に位置しており、これによって接続状態がロックされている。詳しくは、接続状態にあるＦＰＣを挿入方向の反対方向に引くと、係止突起と係止孔の壁部とが係止し、これによって接続状態が保たれる。
【先行技術文献】
【特許文献】
【０００３】
【特許文献１】特開２００８−１９２５７４号公報
【発明の概要】
【発明が解決しようとする課題】
【０００４】
特許文献１のコネクタによれば、接続状態にあるＦＰＣを、大きな力によって無理に引き抜こうとすると、係止突起が引き延ばされて破損する恐れがある。更に、係止突起の破損によって接続状態が解除（アンロック）され、ＦＰＣが引き抜かれる恐れがある。
【０００５】
そこで、本発明は、接続対象物との接続状態をより確実にロック可能な構造を備えたコネクタを提供することを目的とする。
【課題を解決するための手段】
【０００６】
本発明は、第１のコネクタとして、
被ロック部を備える接続対象物が挿入方向に沿って前方から挿入・接続されるコネクタであって、
ハウジングと、
前記ハウジングに取り付けられた取付部材であって、前記挿入方向と直交する上下方向において前記ハウジングの上側及び下側に夫々位置する取付上部及び取付下部と、前記取付上部と前記取付下部とを前方において連結する連結部とを有する取付部材と、
挿入・接続された前記接続対象物が前記挿入方向の反対方向である抜去方向に移動すると前記被ロック部を係止するロック爪と、前記取付上部と前記取付下部との間に位置して、前記ロック爪を前記上下方向に変位可能に支持するバネ部とを有するロック部とを備える
コネクタを提供する。
【０００７】
本発明は、第２のコネクタとして、第１のコネクタであって、
前記ハウジングには、前記接続対象物の挿入をガイドするアームが設けられており、
前記アームは、前記抜去方向に沿って延びており、
前記バネ部は、前記アームと、前記取付下部との間に位置している
コネクタを提供する。
【０００８】
本発明は、第３のコネクタとして、第１又は第２のコネクタであって、
前記バネ部には、前記連結部に向かって張り出した張り出し部が形成されている
コネクタを提供する。
【０００９】
本発明は、第４のコネクタとして、第１乃至第３のいずれかのコネクタであって、
前記ハウジングに保持されたシェルを、更に備えており、
前記取付部材は、前記シェルの一部であり、
前記取付上部は、前記ハウジングの上面を覆っている
コネクタを提供する。
【００１０】
本発明は、第５のコネクタとして、第１乃至第４のいずれかのコネクタであって、
前記取付部材と前記ロック部とは、一体に形成されている
コネクタを提供する。
【００１１】
本発明は、第６のコネクタとして、第５のコネクタであって、
前記バネ部は前記取付上部から延びて形成されている
コネクタを提供する。
【００１２】
本発明は、第７のコネクタとして、第４のコネクタであって、
前記ハウジングには、被圧入部が形成されており、
前記シェルは、圧入部を有しており、前記圧入部を前記被圧入部に圧入するようにして、前記ハウジングの前方から前記ハウジングに取り付けられている
コネクタを提供する。
【００１３】
本発明は、第８のコネクタとして、第１乃至第７のいずれかのコネクタであって、
シート状に形成された前記接続対象物が挿入される挿入口であって、前記挿入方向及び前記上下方向の双方に直交する幅方向に延びる挿入口と、
前記接続対象物の挿入をガイドするガイド部であって、前記挿入口の前方に位置し、前記幅方向に沿って延びるガイド部とを、更に備えている
コネクタを提供する。
【００１４】
本発明は、第９のコネクタとして、第８のコネクタであって、
前記挿入口の下部に位置し、前記上下方向に変位可能となるように支持されたグランドバネ部を、更に備えており、
前記グランドバネ部の少なくとも一部は、前記ガイド部よりも上方に位置している
コネクタを提供する。
【００１５】
本発明は、第１０のコネクタとして、第１乃至第９のいずれかのコネクタであって、搭載対象物に搭載されるコネクタであり、
前記コネクタの前方において前記搭載対象物に接続されるグランド部を、更に備えている
コネクタを提供する。
【００１６】
本発明は、第１１のコネクタとして、第１乃至第１０のいずれかのコネクタであって、
前記ロック爪は、前記上下方向に沿って上方から視認できるように配置されている
コネクタを提供する。
【発明の効果】
【００１７】
本発明によるコネクタは、ハウジングと、ハウジングに取り付けられた取付部材とを備えており、取付部材の一部は、ロック爪を支持するバネ部の前方に位置している。接続状態にある接続対象物を無理に引き抜こうとすると、バネ部が取付部材に突き当たり、バネ部の移動が止まる（即ち、接続対象物の移動が止まる）。従って、バネ部の破損を防止することが可能であり、接続状態がより確実にロックされる。
【図面の簡単な説明】
【００１８】
【図１】本発明の実施の形態によるコネクタを示す斜視図である。ここで、コネクタのアクチュエータは開状態にある。
【図２】図１のコネクタを示す上面図である。
【図３】図１のコネクタを示す正面図である。
【図４】図１のコネクタを、ＦＰＣ（接続対象物）がコネクタに挿入・接続された状態で示す斜視図である。ここで、アクチュエータは閉状態にある。
【図５】図１のコネクタを、ＦＰＣがコネクタに挿入された状態で示す上面図である。ここで、アクチュエータは開状態にある。
【図６】本発明の実施の形態によるコネクタに挿入・接続されるＦＰＣを示す上面図である。
【図７】図６のＦＰＣを示す底面図である。
【図８】図１のコネクタのシェルを示す斜視図である。
【図９】図８のシェルを示す底面図である。
【図１０】図２のコネクタをX-X線に沿って示す断面図である。
【図１１】図１のコネクタの取付部材及びロック部の近傍（破線Ａの部分）を示す部分拡大斜視図である。
【図１２】図４のコネクタの取付部材及びロック部の近傍（破線Ｃの部分）を示す部分拡大斜視図である。
【図１３】図３のコネクタの取付部材及びロック部の近傍（破線Ｂの部分）を示す部分拡大正面図である。ここで、コネクタに挿入されるＦＰＣと、ＦＰＣに押されて下方に変位したときのロック部とを破線で描画している。
【図１４】図１３の取付部材及びロック部の近傍を、XIV-XIV線に沿って示す断面図である。
【図１５】図１３の取付部材及びロック部の近傍を、XV-XV線に沿って示す断面図である。
【図１６】図８のシェルの取付部材及びロック部の近傍（破線Ｄの部分）を示す部分拡大斜視図である。
【図１７】図５のコネクタを、XVII-XVII線に沿って示す断面図である。ここで、ＦＰＣに押されて下方に変位する前のグランドバネ部を破線で描画している。
【図１８】図５のコネクタを、XVIII-XVIII線に沿って示す断面図である。アクチュエータを図１７の開状態から閉状態に移動させ、ＦＰＣと接続させた状態を示している。
【図１９】図１９（ａ）は、従来のコネクタの一例と、コネクタに挿入されるＦＰＣとを示す斜視図である。図１９（ｂ）は、図１９（ａ）のコネクタの係止突起の近傍を示す部分拡大斜視図である。
【発明を実施するための形態】
【００１９】
図１及び図４に示されるように、本実施の形態によるコネクタ１０は、搭載対象物９００（例えば、基板９００）に搭載・固定される。コネクタ１０は、基板９００に搭載・固定された状態で、ＦＰＣ（接続対象物）８００と接続可能である。
【００２０】
本実施の形態によるコネクタ１０は、上下方向（Ｚ方向）に薄い（即ち、低背の）平板形状を有しており、上下方向と直交する幅方向（Ｙ方向）に長く延びている。コネクタ１０は、上下方向及び幅方向の双方に直交する挿入・抜去方向（Ｘ方向）において、前端１０ｆ（即ち、−Ｘ側の端部）と後端１０ｒ（即ち、＋Ｘ側の端部）とを有している。
【００２１】
図１、図３及び図４から理解されるように、コネクタ１０は、前端１０ｆ側にＹ方向に延びる挿入口１２を備えている。ＦＰＣ８００は、挿入方向（＋Ｘ方向）に沿って挿入口１２に挿入され、コネクタ１０と接続される。換言すれば、本実施の形態によるコネクタ１０は、ＦＰＣ８００が＋Ｘ方向に沿って前方から挿入・接続されるものである。コネクタ１０と接続されたＦＰＣ８００は、抜去方向（−Ｘ方向）に沿ってコネクタ１０から抜去される。
【００２２】
図６及び図７に示されるように、ＦＰＣ８００は、ＸＹ平面と平行なシート状に形成されている。詳しくは、ＦＰＣ８００は、概ね矩形形状を有しており、＋Ｘ側の端部である先端８００ｔと、＋Ｚ側の面である上面（信号面）８００ｕと、−Ｚ側の面である下面（グランド面）８００ｂとを有している。先端８００ｔは、ＦＰＣ８００のＹ方向における両端部の間を、Ｙ方向に沿って延びている。
【００２３】
ＦＰＣ８００は、複数の信号端子８２０と、グランド端子８３０とを備えている。複数の信号端子８２０は、同じピッチ幅を有するようにしてＹ方向に配列されており、上面８００ｕの先端８００ｔ近傍に（即ち、上面８００ｕの前端部分に）露出している。グランド端子８３０は、Ｙ方向に沿って延びるように形成されており、下面８００ｂの先端８００ｔ近傍に（即ち、下面８００ｂの前端部分に）露出している。
【００２４】
図６、図７及び図１２に示されるように、ＦＰＣ８００は、Ｙ方向における両端部に夫々形成された２つの被ロック部８１０を備えている。本実施の形態による被ロック部８１０は、Ｙ方向内側に向かって凹んだ凹部である。但し、被ロック部８１０は、凹部でなくてもよいし、Ｙ方向外側に向かって突出した凸部であってもよい。例えば、ＦＰＣ８００をＺ方向に貫通する貫通孔であってもよい。被ロック部８１０には、Ｘ方向と直交する平面状の被係止部８１２が形成されている。
【００２５】
図１乃至図３に示されるように、コネクタ１０は、絶縁性材料からなるハウジング１００と、金属製のシェル２００と、絶縁性材料からなるアクチュエータ５００と、金属製の複数のコンタクト６００とを備えている。
【００２６】
図１、図２、及び図１０乃至図１２に示されるように、ハウジング１００は、本体部１１０を備えている。本体部１１０は、Ｚ方向に薄い平板状に形成されており、Ｙ方向に長く延びている。更に、ハウジング１００には、ＦＰＣ８００の挿入をガイドする２つのアーム１３０が設けられている。２つのアーム１３０は、本体部１１０のＹ方向における両端部に夫々形成されている。
【００２７】
図１０乃至図１２に示されるように、アーム１３０は、本体部１１０から−Ｘ方向に沿って（即ち、前方に向かって）延びている。詳しくは、アーム１３０のＹ方向内側には、ＸＺ平面と平行なガイド面１３２が形成されている。Ｙ方向における２つのガイド面１３２の間の距離は、ＦＰＣ８００のＹ方向における幅と実質的に同一である（図５参照）。アーム１３０のガイド面１３２の前方には（即ち、−Ｘ側には）、傾斜面１３４が形成されている。傾斜面１３４は、Ｘ方向及びＹ方向の双方と斜交している。詳しくは、傾斜面１３４は、ガイド面１３２から、Ｙ方向外側に傾斜しつつ前方に向かって延びており、これにより、ＦＰＣ８００を挿入口１２に向けてガイド可能である。
【００２８】
図１０乃至図１３から理解されるように、ハウジング１００の本体部１１０には、ＦＰＣ８００の前端部分が挿入される被挿入部１１４が形成されている。被挿入部１１４は、Ｙ方向において２つのガイド面１３２の間を延びる溝である。被挿入部１１４は、−Ｘ方向において挿入口１２と連通しており、＋Ｘ方向に沿って、本体部１１０の中間部分まで延びている。
【００２９】
図１０乃至図１２に示されるように、本体部１１０には、載置部１１６と、突当部１１８とが更に形成されている。本実施の形態による載置部１１６は、ＸＹ平面と平行な平面である。載置部１１６は、被挿入部１１４の下に（即ち、−Ｚ側に）位置しており、コネクタ１０に挿入・接続されたＦＰＣ８００が載置される。突当部１１８は、＋Ｘ方向における被挿入部１１４の端部（即ち、載置部１１６の端部）に形成されている。本実施の形態による突当部１１８は、Ｘ方向と直交する平面である。
【００３０】
図２、図１０、図１４及び図１７から理解されるように、ハウジング１００の本体部１１０には、コンタクト６００と夫々対応する複数のコンタクト収容部１２０及び複数の保持部１２２が形成されている。
【００３１】
図１３、図１４及び図１７から理解されるように、コンタクト収容部１２０は、本体部１１０の内部をＸ方向に延びている。詳しくは、コンタクト収容部１２０の＋Ｘ側は、コネクタ１０の後端１０ｒ側に開口している。一方、コンタクト収容部１２０の−Ｘ側は、被挿入部１１４の上方を延びて、コネクタ１０の前端１０ｆに開口している。換言すれば、コンタクト収容部１２０の−Ｘ側は、Ｚ方向において被挿入部１１４と連通している。
【００３２】
図１７に示されるように、保持部１２２は、本体部１１０の内部をＸ方向に延びる穴である。保持部１２２は、Ｘ方向においてコンタクト収容部１２０の下部（即ち、コンタクト収容部１２０の−Ｚ側）と連通している。コンタクト６００は、コネクタ１０の後端１０ｒ側からコンタクト収容部１２０及び保持部１２２に挿入・収容されており、これによってハウジング１００に取り付けられている。
【００３３】
図１７に示されるように、本実施の形態によるコンタクト６００は、被固定部６１０と、被保持部６２０と、接続部６３０と、被支持部６４０と、接触部６５０とを備えている。接続部６３０は、コンタクト６００のＸ方向における中間部分に設けられている。詳しくは、接続部６３０は、被固定部６１０及び被保持部６２０からなるコンタクト６００の下部と、被支持部６４０及び接触部６５０からなるコンタクト６００の上部とを、Ｚ方向に接続している。
【００３４】
被固定部６１０は、例えば半田付けによって、基板９００に固定・接続される。被保持部６２０は、保持部１２２に圧入されており、これによりコンタクト６００は、Ｘ方向に沿って延びるようにしてハウジング１００に保持されている。被支持部６４０は、接続部６３０から＋Ｘ方向に延びており、接触部６５０は、接続部６３０から−Ｘ方向に延びている。被支持部６４０と接触部６５０とは、Ｚ方向に変位可能となるように接続部６３０に支持されている。より具体的には、被支持部６４０が上方に（即ち、＋Ｚ方向に）変位すると、接触部６５０は下方に（即ち、−Ｚ方向に）変位する。
【００３５】
図１０、図１３及び図１７に示されるように、接触部６５０は、コンタクト収容部１２０の内部を通過して被挿入部１１４の上方を延びており、＋Ｘ方向に沿って見たとき、接触部６５０の先端を視認することができる。接触部６５０の先端部分は、被挿入部１１４の内部に突出している。
【００３６】
図１乃至図４から理解されるように、本実施の形態によるアクチュエータ５００は、Ｙ方向に長く延びる平板形状を有している。アクチュエータ５００は、コネクタ１０の後端１０ｒ側からハウジング１００に取り付けられており、開位置（図１７に示される位置）と閉位置（図１８に示される位置）との間を回動可能となるようにハウジング１００に支持されている。アクチュエータ５００には、コンタクト６００と夫々対応する複数の支持孔５１０が形成されている。支持孔５１０の夫々は、開位置にあるアクチュエータ５００を、Ｘ方向に貫通している。
【００３７】
図１７及び図１８に示されるように、支持孔５１０には、支持孔５１０を部分的に塞ぐようにして支持部５２０が形成されている。コンタクト６００の被支持部６４０は、＋Ｘ方向に沿って支持孔５１０の内部に達しており、支持部５２０によってＺ方向に変位可能となるように支持されている。換言すれば、被支持部６４０は、アクチュエータ５００が開位置にあるときも閉位置にあるときも、支持部５２０の上端（即ち、＋Ｚ側の端部）と接触している。
【００３８】
アクチュエータ５００は、第１基準面５０２と、第２基準面５０４とを有している。第１基準面５０２は、開位置にあるアクチュエータ５００の底面であり、第２基準面５０４は、閉位置にあるアクチュエータ５００の底面である。本実施の形態によれば、アクチュエータ５００が開位置にあるときの第１基準面５０２と基板９００との間の距離（Ｄ０）は、アクチュエータ５００が閉位置にあるときの第２基準面５０４と基板９００との間の距離（Ｄ０）と等しい。一方、アクチュエータ５００が開位置にあるときの、支持部５２０の上端と第１基準面５０２との間の距離（Ｄ１）は、アクチュエータ５００が閉位置にあるときの、支持部５２０の上端と第２基準面５０４との間の距離（Ｄ２）よりも短い。換言すれば、アクチュエータ５００が閉位置にあるときの、支持部５２０の上端と基板９００との間の距離（Ｄ０＋Ｄ２）は、アクチュエータ５００が開位置にあるときの、支持部５２０の上端と基板９００との間の距離（Ｄ０＋Ｄ１）よりも長い。
【００３９】
図１、図２、図８及び図９から理解されるように、シェル２００は、ハウジング１００を部分的に覆うようにして、ハウジング１００に取り付けられている。換言すれば、コネクタ１０は、ハウジング１００に保持されたシェル２００を備えている。シェル２００は、ハウジング１００の上面（即ち、＋Ｚ側の面）を覆うシェル上部２００ｕと、コネクタ１０の下部に位置するシェル下部２００ｂとを備えている。
【００４０】
図８及び図９から理解されるように、本実施の形態によるシェル２００は、１枚の金属板を切り抜き、曲げ加工することによって形成されている。詳しくは、切り抜かれた金属板の−Ｘ側は、下方に折り曲げられている。下方に折り曲げられた部位のうち上側（＋Ｚ側）に位置する部位と、下方に折り曲げられた部位のうち下側（−Ｚ側）に位置する部位とは、Ｚ方向において互いに対向するようにして、後方に向かって（即ち、＋Ｘ方向に）更に折り曲げられており、これによりシェル下部２００ｂが形成されている。換言すれば、シェル下部２００ｂは、Ｚ方向における上段部分と下段部分とを備えている。
【００４１】
図８及び図９に示されるように、本実施の形態によるシェル２００は、４つの圧入部２０２を有している。詳しくは、圧入部２０２の夫々は、ＸＹ平面上を＋Ｘ方向に延びるようにして、シェル下部２００ｂの下段部分に設けられている。
【００４２】
図１、図２及び図１０から理解されるように、ハウジング１００には、圧入部２０２に夫々対応する４つの被圧入部１１２が形成されている。本実施の形態による被圧入部１１２は、ハウジング１００内部に形成された穴である。被圧入部１１２の夫々は、−Ｘ方向に向かって開口しており、ＸＹ平面上を＋Ｘ方向に延びている。シェル２００は、圧入部２０２を被圧入部１１２に圧入するようにして、ハウジング１００の前方から＋Ｘ方向に沿ってハウジング１００に取り付けられている。
【００４３】
図８及び図９に示されるように、本実施の形態によるシェル２００は、２つのホールドダウン２１０と、ガイド部２２０と、３つのグランドバネ部２３０と、２つのグランド部２４０とを備えている。２つのホールドダウン２１０は、下方に（即ち、−Ｚ方向に）延びるようにして、シェル上部２００ｕのＹ方向における両端部分に夫々設けられている。ガイド部２２０は、Ｙ方向に沿って長く延びており、シェル下部２００ｂの上段部分を形成している。グランドバネ部２３０は、ガイド部２２０の下を通過して、上方に傾斜しつつ＋Ｘ方向に延びており、これにより、Ｚ方向に変位可能となるように支持されている。グランド部２４０は、ガイド部２２０の前側（−Ｘ側）に形成されており、下方に延びている。グランド部２４０の夫々は、２つのグランドバネ部２３０の間に位置している。
【００４４】
図１に示されるように、ホールドダウン２１０の下端（基板９００のパッドに搭載）は、例えば半田付けによって基板９００に接続・固定される。同様に、グランド部２４０の下端（基板９００のパッドに搭載）は、例えば半田付けによって基板９００に接続・固定され、これによってシェル２００は接地される。本実施の形態によるグランド部２４０は、コネクタ１０の前方において基板９００に接続される。従って、本実施の形態によるコネクタ１０は、基板９００に搭載・固定された状態において、＋Ｘ方向に沿った力に十分に対抗することができる。
【００４５】
図２及び図１０乃至図１２から理解されるように、ガイド部２２０は、ＦＰＣ８００の挿入をガイドするものである。ガイド部２２０は、挿入口１２の前方（−Ｘ側）に位置しており、Ｙ方向に沿って延びている。詳しくは、ガイド部２２０の上面は、ＸＹ平面と平行に延びる平面状に形成されており、Ｚ方向において載置部１１６と同じ位置となるように配置されている。
【００４６】
図１０及び図１３に示されるように、グランドバネ部２３０は、挿入口１２の下部に位置している。グランドバネ部２３０の先端部分の一部（即ち、少なくとも一部）は、ガイド部２２０よりも上方に位置している。
【００４７】
図１に示されるように、コネクタ１０は、２つの取付部材２５０を備えている。２つの取付部材２５０は、ハウジング１００のＹ方向における両端部分に夫々取り付けられている。
【００４８】
図１、図８及び図９に示されるように、本実施の形態による取付部材２５０は、シェル２００の一部である。詳しくは、本実施の形態による取付部材２５０は、シェル２００のＹ方向における端部の一部である。しかしながら、取付部材２５０は、Ｘ方向に移動しないように固定されている限り、シェル２００とは別体に形成されていてもよい。
【００４９】
図１１乃至図１３に示されるように、取付部材２５０の夫々は、取付上部２５２と、取付下部２５４と、連結部２５６とを有している。取付上部２５２及び取付下部２５４は、Ｚ方向において、ハウジング１００の上側及び下側に夫々位置している。本実施の形態による取付上部２５２及び取付下部２５４は、ＸＹ平面と平行な平面状に形成されており、Ｚ方向において、ハウジング１００のアーム１３０の大部分を覆っている。より具体的には、取付上部２５２は、シェル上部２００ｕの一部であり、ハウジング１００のアーム１３０の上面（即ち、ハウジング１００の上面）を覆っている。取付下部２５４は、シェル下部２００ｂの一部であり、ハウジング１００のアーム１３０の下面を覆っている。連結部２５６は、アーム１３０の前方をＺ方向に延びており、取付上部２５２と取付下部２５４とを前方において連結している。
【００５０】
図８及び図９に示されるように、本実施の形態によれば、取付部材２５０の連結部２５６は、シェル上部２００ｕとシェル下部２００ｂとを連結している。ホールドダウン２１０には、Ｙ方向においてホールドダウン２１０を貫通する止め孔２１２が形成されている。取付下部２５４の＋Ｘ側の端部は、＋Ｘ方向に延びており、ホールドダウン２１０の止め孔２１２に挿入されている。上記の説明から理解されるように、本実施の形態による連結部２５６の上端及び下端は、取付上部２５２及び取付下部２５４によって、夫々保持・固定されている。従って、連結部２５６は、−Ｘ方向の力を強固に受け止めることができる。
【００５１】
図２に示されるように、コネクタ１０は、２つのロック部２７０を更に備えている。２つのロック部２７０は、ハウジング１００のＹ方向における両端部分に夫々設けられている。
【００５２】
図２、図８及び図９に示されるように、本実施の形態によるロック部２７０は、シェル２００の一部である。詳しくは、本実施の形態によるロック部２７０は、シェル２００のＹ方向における端部の一部である。換言すれば、本実施の形態によれば、取付部材２５０とロック部２７０とは、一体に形成されている。しかしながら、取付部材２５０とロック部２７０とは、別体に形成されていてもよい。更に、バネ支持部２７１の端部がハウジング１００に保持されるように構成すれば、ロック部２７０を、シェル２００とは別体に形成してもよい。
【００５３】
図１１乃至図１６に示されるように、ロック部２７０は、バネ支持部２７１と、バネ部２７２と、ロック爪２７６とを有している。バネ支持部２７１は、シェル２００のＹ方向における端部（即ち、取付上部２５２）から、アーム１３０のＹ方向外側の側面を覆うようにして、−Ｚ方向にアーム１３０を超えて延びている。バネ部２７２は、バネ支持部２７１の下端部（即ち、−Ｚ側の端部）から、Ｙ方向内側に向かって延びており、これによりアーム１３０と、取付下部２５４との間に位置している。換言すれば、バネ部２７２は、取付上部２５２と取付下部２５４との間に位置している。ロック爪２７６は、Ｙ方向内側におけるバネ部２７２の端部から＋Ｚ方向に突出している。
【００５４】
バネ部２７２は、ロック爪２７６をＺ方向に変位可能に支持している。本実施の形態によるバネ部２７２は、バネ支持部２７１から連続して延びている。更に、本実施の形態によれば、バネ部２７２をＹ方向において長く延ばすことができる。従って、本実施の形態によれば、コネクタ１０を大型化することなく、バネ部２７２の弾性力を、より向上させることができる。
【００５５】
図１１、図１４及び図１５に示されるように、バネ部２７２には、連結部２５６に向かって張り出した張出部２７４が形成されている。Ｘ方向において、張出部２７４の先端は、連結部２５６と近接している。
【００５６】
図１１、図１２及び図１６に示されるように、ロック爪２７６は、ＸＺ平面と平行な平板状に形成されている。ロック爪２７６には、力受部２７８と、係止部２８０とが形成されている。力受部２７８は、ロック爪２７６の前側（−Ｘ側）に形成された面であり、Ｘ方向及びＺ方向の双方に斜交している。係止部２８０は、ロック爪２７６の後側（＋Ｘ側）に形成された面であり、Ｘ方向と直交している。
【００５７】
図１０、図１１及び図１３に示されるように、ロック爪２７６は、挿入口１２及び被挿入部１１４の前方を塞ぐようにして、ガイド部２２０を超えて＋Ｚ方向に延びている。
【００５８】
図１、図４、図１１及び図１２から理解されるように、ＦＰＣ８００は、アクチュエータ５００が開位置にあるとき、Ｙ方向において２つのアーム１３０に挟まれるようにして、且つ、Ｚ方向においてガイド部２２０に沿って、挿入口１２を通過して被挿入部１１４に挿入される。
【００５９】
図１７に示されるように、ＦＰＣ８００は、先端８００ｔと突当部１１８とが突き当たるまで、被挿入部１１４に挿入される。ＦＰＣ８００が挿入される際、グランドバネ部２３０は、ＦＰＣ８００によって下方に（即ち、−Ｚ方向に）押され、下方に多少変位する。
【００６０】
図１８に示されるように、ＦＰＣ８００の先端８００ｔと突当部１１８とが接触又は近接した状態で、アクチュエータ５００を閉位置に回動すると、支持部５２０によって被支持部６４０が＋Ｚ方向に持ちあげられ、接触部６５０は、−Ｚ方向に沿った力を受ける。従って、接触部６５０は、ＦＰＣ８００の信号端子８２０に押し付けられるようにして、信号端子８２０と電気的に接続される。更に、ＦＰＣ８００は、載置部１１６及びガイド部２２０に押し付けられ、これにより、グランドバネ部２３０は、更に下方に変位する。ＦＰＣ８００のグランド端子８３０は、下方に変位したグランドバネ部２３０と接触部６５０とによって挟み込まれるようにして、グランドバネ部２３０と電気的に接続される。換言すれば、コネクタ１０と、ＦＰＣ８００とは電気的に接続され、これによって、ＦＰＣ８００は、基板９００と電気的に接続される。
【００６１】
前述したように、グランド部２４０は、Ｙ方向において２つのグランドバネ部２３０に挟まれるようにして、グランドバネ部２３０の近傍に配置されている（図８参照）。従って、本実施の形態によれば、ＦＰＣ８００のグランド端子８３０を、より効果的に接地させることができる。
【００６２】
図１１乃至図１３から理解されるように、ＦＰＣ８００を被挿入部１１４に挿入する際、ＦＰＣ８００の先端８００ｔ（図６参照）は、初期位置（図１１に示される位置）にあるロック爪２７６の力受部２７８と突き当たる。ＦＰＣ８００を挿入し続けると、力受部２７８は、−Ｚ方向に沿った力を受け、ロック爪２７６は、初期位置から下方に変位する。従って、ＦＰＣ８００の先端８００ｔは、ロック爪２７６の上方を通過する。ＦＰＣ８００の先端８００ｔと突当部１１８とが接触又は近接した状態においては（図１７参照）、ＸＹ平面上において、ＦＰＣ８００の被ロック部８１０が、ロック爪２７６と同じ位置にある。従って、ロック爪２７６は、上方に変位して初期位置に戻る（図１２参照）。
【００６３】
図４、図１１及び図１２から理解されるように、コネクタ１０に挿入・接続された（即ち、接続状態にある）ＦＰＣ８００が−Ｘ方向に移動すると、ロック爪２７６の係止部２８０がＦＰＣ８００の被係止部８１２を係止する（即ち、被係止部８１２の移動を止める）。換言すれば、ロック爪２７６が被ロック部８１０を係止し、これによって接続状態を維持することができる。以上の説明から理解されるように、本実施の形態によれば、ロック部２７０によって、コネクタ１０とＦＰＣ８００との接続状態がロックされている。
【００６４】
また、本実施の形態によれば、連結部２５６がバネ部２７２の前方に位置しているため、接続状態にあるＦＰＣ８００を無理に引き抜こうとすると、ロック部２７０のバネ部２７２が−Ｘ方向に変位し、張出部２７４と連結部２５６とが当接する。この当接によってバネ部２７２の過剰変位が抑制され、ロック部２７０の強度が増し、かつロック部２７０の破損を防止することができる。更に、本実施の形態によれば、取付部材２５０とシェル２００とを一体形成しているため、ＦＰＣ８００に加えられた−Ｘ方向の力は、取付部材２５０全体（即ち、ハウジング１００に取り付けられ、且つ、基板９００に固定されたシェル２００全体）で受けとめられるため、コネクタ１０とＦＰＣ８００との接続状態が、更に強固に維持され、ロック部２７０の破損を防止することができる。
【００６５】
図１、図１０及び図１１に示されるように、本実施の形態によれば、挿入口１２は、−Ｘ方向及び＋Ｚ方向の双方に開口している。詳しくは、Ｚ方向に沿って載置部１１６の一部とガイド部２２０とを視認することができる。従って、ＦＰＣ８００をコネクタ１０に斜め上方から容易に挿入することができる（図１２参照）。
【００６６】
図４、図５及び図１２に示されるように、ロック爪２７６は、接続状態において、Ｚ方向に沿って上方から視認できるように配置されている。従って、ＦＰＣ８００がコネクタ１０と接続されているか否かを、上方から視認することができる。更に、ロック爪２７６を下方に変位させることで接続状態のロックを解除し、ＦＰＣ８００をコネクタ１０から抜去することができる。
【００６７】
本実施の形態による搭載対象物は基板であるが、搭載対象物は、基板以外のものであってもよい。更に、本発明は、搭載対象物に搭載されないコネクタに適用することもできる。
【００６８】
更に、接続対象物は、ＦＰＣやＦＦＣ（Flexible Flat Cable）のようなシート状の接続対象物でなくてもよい。接続対象物が上下に厚い場合、接続対象物の被ロック部は、下方に凹んだ窪みであってもよい。
【００６９】
更に、ホールドダウン、ガイド部、グランドバネ部、及びグランド部は、シェルの一部でなくてもよく、互いに別体に形成されていてもよい。
【符号の説明】
【００７０】
１０            コネクタ
１０ｆ          前端
１０ｒ          後端
１２            挿入口
１００          ハウジング
１１０          本体部
１１２          被圧入部
１１４          被挿入部
１１６          載置部
１１８          突当部
１２０          コンタクト収容部
１２２          保持部
１３０          アーム
１３２          ガイド面
１３４          傾斜面
２００          シェル
２００ｕ        シェル上部
２００ｂ        シェル下部
２０２          圧入部
２１０          ホールドダウン
２１２          止め孔
２２０          ガイド部
２３０          グランドバネ部
２４０          グランド部
２５０          取付部材
２５２          取付上部
２５４          取付下部
２５６          連結部
２７０          ロック部
２７１          バネ支持部
２７２          バネ部
２７４          張出部
２７６          ロック爪
２７８          力受部
２８０          係止部
５００          アクチュエータ
５０２          第１基準面
５０４          第２基準面
５１０          支持孔
５２０          支持部
６００          コンタクト
６１０          被固定部
６２０          被保持部
６３０          接続部
６４０          被支持部
６５０          接触部
８００          ＦＰＣ（接続対象物）
８００ｕ        上面（信号面）
８００ｂ        下面（グランド面）
８００ｔ        先端
８１０          被ロック部
８１２          被係止部
８２０          信号端子
８３０          グランド端子
９００          基板（搭載対象物）
【図１】
0005779078.tif 000002
【図２】
0005779078.tif 000003
【図３】
0005779078.tif 000004
【図４】
0005779078.tif 000005
【図５】
0005779078.tif 000006
【図６】
0005779078.tif 000007
【図７】
0005779078.tif 000008
【図８】
0005779078.tif 000009
【図９】
0005779078.tif 000010
【図１０】
0005779078.tif 000011
【図１１】
0005779078.tif 000012
【図１２】
0005779078.tif 000013
【図１３】
0005779078.tif 000014
【図１４】
0005779078.tif 000015
【図１５】
0005779078.tif 000016
【図１６】
0005779078.tif 000017
【図１７】
0005779078.tif 000018
【図１８】
0005779078.tif 000019
【図１９】
0005779078.tif 000020